(57)【要約】      （修正有）【課題】内器の取付作業性向上，部品コスト削減および分解作業性の向上。【解決手段】キャビネットの一部を構成するボックスと，中底及び設置台には突出片を設けるとともに，前記ボックスには該突出片を保持する保持部と，中底及び設置台スライド可能な第一及び第二のガイド部と，主開閉器取付台の取付部と，を設け，第一のガイド部に沿って中底をスライドさせることにより保持部に中底の突出片が差込保持され，第二のガイド部に沿って設置台をスライドさせることにより保持部に設置台の突出片が差込保持され，少なくとも一つの保持部には，中底及び設置台の突出片が共に差込まれる共用保持部が設けられ，中底の前記差込保持される方向とは反対側の方向への動きが規制され，主開閉器取付台にはボックスへの取付位置において設置台と当接する突出片が設けられ，設置台の差込保持される方向とは反対側の方向への動きを規制するようにした。【選択図】      図１
2006081296.tif 000002
【特許請求の範囲】
【請求項１】
キャビネットの一部を構成するボックスと，
該ボックスに取付固定される，主開閉器を載置する主開閉器取付台と，該主開閉器と電気的に接続され分岐開閉器に電力を供給する母線を設置する設置台と，分岐開閉器を並設載置する中底と，を備えた住宅用分電盤において，
中底及び設置台には突出片を設けるとともに，
前記ボックスには，中底及び設置台の突出片と各々対応し該突出片を保持する保持部と，中底及び設置台を所定の方向にスライド可能に導く第一及び第二のガイド部と，主開閉器取付台の取付部と，を設け，
第一のガイド部に沿って中底をスライドさせることにより，保持部に中底の突出片が差込保持され，
第二のガイド部に沿って設置台をスライドさせることにより，保持部に設置台の突出片が差込保持され，
少なくとも一つの保持部には，中底及び設置台の突出片が共に差込まれる共用保持部が設けられ，
該共用保持部において中底の突出片は設置台の突出片と当接し，中底の前記差込保持される方向とは反対側の方向への動きが規制され，
主開閉器取付台にはボックスへの取付位置において設置台と当接する突出片が設けられ，該突出片は設置台と当接して設置台の差込保持される方向とは反対側の方向への動きを規制することを特徴とする住宅用分電盤。
【請求項２】
前記中底は，分岐開閉器の並設方向からみた形状が略コの字状に形成され，一端部及び他端部に突出片が設けられ，
ボックスに設けられた第一のガイド部は，ボックスの中底の取付面において，前記中底を覆い被すことができるよう略コの字状の開口部の幅と同等の幅に飛び出し形成されたリブ状の段差部で構成され，
第二のガイド部は，前記設置台が嵌まり込むことができるよう設置台を略包囲するよう設けられたリブで構成されたことを特徴とする請求項１記載の住宅用分電盤。
【請求項３】
分岐開閉器の回路数の違いに応じて分岐開閉器の並設方向の長さを違えて用意される中底及び母線を設置する設置台に設けられる突出片に対応するよう予めボックスの所定の位置に保持部及び主開閉器取付台の取付部が設けられたことを特徴とする請求項１または請求項２記載の住宅用分電盤。
【請求項４】
電流制限器取付台の取付部を設けてなることを特徴とする請求項１または請求項２または請求項３記載の住宅用分電盤。
【発明の詳細な説明】
【技術分野】
【０００１】
本発明は，住宅用分電盤に関し，特に住宅用分電盤の内器取付構造に関するものである。
【背景技術】
【０００２】
従来，分電盤の内器の取付構造の例としては，図２０（特許文献１の図５）に示したようなものがあった。
分電盤のボックスに取り付けられる内器としては，分岐開閉器や分岐開閉器に電力を供給する母線を設置した設置台を配設する取付台や，また，通常，主開閉器を取り付ける取付板（図示しない）が設けられる。
これらの取付台や取付板のそれぞれの四隅にはねじが貫通される孔が設けられており，分電盤のボックスには該孔に対応する位置にねじを締め付ける孔が設けられていた。
分電盤のボックスに内器を取付ける場合には，取付台や取付板などの内器をそれぞれ所定の位置に配設し，それらをねじで締め付けて取付を行う構造となっていた。
【０００３】
【特許文献１】特開２００２−１３５９１２号公報  （第５図）
【発明の開示】
【発明が解決しようとする課題】
【０００４】
しかしながら，従来の例に示した分電盤においては，その全ての内器をねじで締め付けて取付を行う構造であったため，
第一に，ねじ締め箇所が多く，組立て時においてねじ締め作業の工程が多くなり，組立てに時間がかかるという課題があった。
第二に，万が一ねじ締めが十分でなく，緩んだ状態にあったり，また経時的にねじが緩んだりすると，取り付けた内器にがたが発生したり，取付が外れる恐れがあるという課題があった。
第三に，取り付け用のねじの使用個数が多く，部品コストの低減の妨げになるという課題があった。
第四に，分電盤の使用後において，回収された場合に分解して分別廃棄を行う際に，全てのねじを取り外す必要が生じ，分解作業の工程が多くなり，また，廃棄されるねじも多くなるという課題があった。
【０００５】
そこで本件の発明は，分電盤への内器の取付作業性が向上できるとともに，部品コストを削減しながら内器を分電盤に確実に取り付けられ，また，分電盤の使用後に回収し廃棄する際の分解作業が行いやすい住宅用分電盤を提供することを目的とするものである。
【課題を解決するための手段】
【０００６】
以上のような課題を解決するために，第一の課題解決手段においては，キャビネットの一部を構成するボックスと，
該ボックスに取付固定される，主開閉器を載置する主開閉器取付台と，該主開閉器と電気的に接続され分岐開閉器に電力を供給する母線を設置する設置台と，分岐開閉器を並設載置する中底と，を備えた住宅用分電盤において，
中底及び設置台には突出片を設けるとともに，
前記ボックスには，中底及び設置台の突出片と各々対応し該突出片を保持する保持部と，中底及び設置台を所定の方向にスライド可能に導く第一及び第二のガイド部と，主開閉器取付台の取付部と，を設け，
第一のガイド部に沿って中底をスライドさせることにより，保持部に中底の突出片が差込保持され，
第二のガイド部に沿って設置台をスライドさせることにより，保持部に設置台の突出片が差込保持され，
少なくとも一つの保持部には，中底及び設置台の突出片が共に差込まれる共用保持部が設けられ，
該共用保持部において中底の突出片は設置台の突出片と当接し，中底の前記差込保持される方向とは反対側の方向への動きが規制され，
主開閉器取付台にはボックスへの取付位置において設置台と当接する突出片が設けられ，該突出片は設置台と当接して設置台の差込保持される方向とは反対側の方向への動きを規制することを特徴として住宅用分電盤を提供したものである。
これにより，中底及び設置台はボックスに差込保持され，共用保持部にて中底の動きを設置台の突出片が規制し，さらに主開閉器取付台の突出片が設置台の動きを規制するように設けられるため，
ねじ締め箇所は必要最小限の箇所だけに低減でき，作業工程が短縮できるとともに，ねじ締め忘れといったミスや経時的な緩みが発生し取付のがたや外れが生じるという恐れが低減でき，また部品点数が削減できるためコストを下げることが可能となり，分電盤の使用後において分解を行う際にも分解作業を行いやすく低コストで分別廃棄を行うことが可能となる。
【０００７】
第二の課題解決手段においては，前記中底は，分岐開閉器の並設方向からみた形状が略コの字状に形成され，一端部及び他端部に突出片が設けられ，
ボックスに設けられた第一のガイド部は，ボックスの中底の取付面において，前記中底を覆い被すことができるよう略コの字状の開口部の幅と同等の幅に飛び出し形成されたリブ状の段差部で構成され，
第二のガイド部は，前記設置台が嵌まり込むことができるよう設置台を略包囲するよう設けられたリブで構成されたことを特徴として請求項１記載の住宅用分電盤を提供したものである。
これにより，ガイド部はリブを設けることにより構成されるため，分電盤のボックスと一体にてガイド部が構成でき，部品点数を増加させずに，即ちコストの上昇を抑えて中底及び設置台を所定の方向にスライド可能なガイド部を構成可能である。
【０００８】
第三の課題解決手段においては，分岐開閉器の回路数の違いに応じて分岐開閉器の並設方向の長さを違えて用意される中底及び母線を設置する設置台に設けられる突出片に対応するよう予めボックスの所定の位置に保持部及び主開閉器取付台の取付部が設けられたことを特徴として請求項１または請求項２記載の住宅用分電盤を提供したものである。
これにより，分岐開閉器の回路数が異なる場合にも所定の位置に中底及び設置台，主開閉器取付台を取付固定することが可能となる。
【０００９】
第四の課題解決手段においては，電流制限器取付台の取付部を設けてなることを特徴として請求項１または請求項２または請求項３記載の住宅用分電盤を提供したものである。
これにより，第一の課題解決手段，第二の課題解決手段，第三の課題解決手段の住宅用分電盤を電流制限器を設けて構成することが可能となる。
【発明の効果】
【００１０】
本発明によれば，分電盤への内器の取付作業性が向上できるとともに，部品コストを削減しながら内器を分電盤に確実に取り付けられ，また，分電盤の使用後に回収し廃棄する際の分解作業が行いやすい住宅用分電盤を提供することができる。
【実施例１】
【００１１】
次に，本発明に係る住宅用分電盤の実施の形態について図面を用いて説明する。
【００１２】
図１には本発明に係る第一の実施例を示した分電盤の外観図を示している。
住宅用分電盤１はキャビネット１０１の内部に主開閉器１０２及び分岐開閉器１０３を備えて構成されている。キャビネット１０１は，内部機器を収納する容器であり，カバー１０１１，ボックス１０１２，中底１０１３から構成される。
【００１３】
カバー１０１１は，住宅用分電盤の前面全体を覆うように樹脂で成型され，内部機器を操作することができるよう内部機器の操作部分に孔が設けられている。
ボックス１０１２は，住宅用分電盤１の上下左右の側面及び背面を覆う壁を形成するよう樹脂で成型されている。
【００１４】
中底１０１３は，内部機器を取付ける取付板であり，本実施例の場合には，分岐開閉器が該中底１０１３に併設されて取付けられる。
【００１５】
図２はキャビネット１０１のカバー１０１１を取外して，キャビネット１０１の内部を臨んだ内部構造を示した図である。キャビネット１１０の内部には，主開閉器取付台１０４に載置された主開閉器１０２と，該主開閉器１０２に電気的に接続された接続導体１０６と，該接続導体１０６に一端が接続され設置台１０５に配設された母線１０７と，該母線１０７を介して接続され，分岐回路に電力を供給する中底１０１３に取付けられた複数の並設された分岐開閉器１０３とが備えられている。
【００１６】
母線１０７は，中性相導体１０７２と，第一の電圧相導体１０７１と，第二の電圧相導体１０７３とからなり，各々の導体には分岐開閉器１０３との間を接続する電気導体である分岐線が設けられている。該分岐線が設けられている部分には絶縁ブロック部材が各相の母線及び各相の分岐線を絶縁するように設けられている。
【００１７】
母線１０７は主開閉器１０２の負荷側端子とは，接続導体１０６を介して電気的に接続されている。第一の電圧相接続導体１０６２はその両端が，主開閉器１０２の第一の電圧相と，第一の電圧相導体１０７１と接続される。以降第一の電圧相をＬ１相とよぶ。第二の電圧相接続導体１０６３はその両端が，主開閉器１０２の第二の電圧相と，第二の電圧相導体１０６３と接続される。以降第二の電圧相をＬ２相とよぶ。中性相接続導体１０６１はその両端が，主開閉器１０２の中性相と，中性相導体１０７２と接続される。以降中性相をＮ相とよぶ。
【００１８】
図３には中底１０１３の構造図を示している。
中底１０１３は分岐開閉器１０３の並設方向からみた形状が略コの字状に折り曲げ形成されるとともに，一端には第一の突出片１０１３１，他端には第二の突出片１０１３２及び第三の突出片１０１３３が中底の一部として形成されている。また中底１０１３の表面には分岐開閉器１０３を載置するための分岐開閉器取付部が分岐回路数に応じて形成されている。分岐開閉器は中底に併設されて載置される。
【００１９】
図４には設置台１０５の構造図を示している。設置台１０５は各相の母線１０７即ち第一の電圧相導体１０７１，第二の電圧相導体１０７３，中性相導体１０７２が組み込まれるよう樹脂材料で形成されている。組み込まれた各相の母線は適切な絶縁距離を保って各々が絶縁されている。また，絶縁ブロック部材１０５０４が設置台１０５に設けられた絶縁ブロック部材取付部１０５１に取付けられ，各々の分岐開閉器に供給する電圧を変換するための電圧切り替え部が，それぞれ絶縁ブロック部材１０５０４に設けられる。尚，絶縁ブロック部材取付部１０５１は設置台表面から延出するよう設けられたリブで構成され，絶縁ブロック部材１０５０４を略包囲するように形成されている。
【００２０】
設置台１０５の一端には第一の突出片１０５０１，他端側には第一の突出片の突出方向と同方向に向けて第二の突出片１０５０２，第三の突出片１０５０３が設置台１０５の一部として一体成型されている。
【００２１】
図５には主開閉器取付台１０４の構造図を示している。該主開閉器取付台１０４は金属板を折り曲げ成型して構成されており，該主開閉器取付台の片側には突出片１０４０１が設けられている。この突出片１０４０１はボックス１０１２に取付けられるときに，設置台１０５の側面と当接する。また主開閉器取付台の四隅にはボックスに取付ける際にねじを貫通させる孔が設けられている。
【００２２】
図６にはボックス１０１２の斜視図を示している。ボックス１０１２には，中底１０１３，設置台１０５，主開閉器取付台１０４が取付けられる面に，これら中底，設置台を取付ける際にガイドとなる第一のガイド部１０１２１と第二のガイド部１０１２２，及び，中底，設置台に設けられた突出片を保持する保持部が設けられている。
【００２３】
また，主開閉器取付台１０４を取付けるための取付部１０１２８ａ〜ｄが設けられている。
保持部は，中底，設置台をボックスに取付ける位置において，それぞれの突出片と対応する位置に設けられており，中底の突出片と対応する保持部として，中底の第一の突出片１０１３１はボックスの内部機器取付面１０１２ａとボックス側面１０１２ｂの交わり付近に設けてある第一の保持部１０１２３と対応し，
中底の第二の突出片１０１３２はボックスの内部機器取付面１０１２ａに設けてある第二の保持部１０１２４と対応し，中底の第三の突出片１０１３３は同じくボックスの内部機器取付面１０１２ａに設けてある第三の保持部１０１２５と対応している。
【００２４】
また，設置台の突出片と対応する保持部として，設置台の第一の突出片１０５０１はボックスの内部機器取付面１０１２ａに設けてある第四の保持部１０１２６と対応し，
設置台の第二の突出片１０５０２は同じくボックスの内部機器取付面１０１２ａに設けてある第五の保持部１０１２７と対応し，設置台の第三の突出片１０５０３はボックスの内部機器取付面１０１２ａに設けてある第三の保持部１０１２５と対応している。
【００２５】
ここで，第三の保持部１０１２５は，中底の第二の突出片１０１３２と設置台の第三の突出片１０５０３とが共に保持される共用保持部となる。
【００２６】
これらの保持部は中底，設置台に設けられた突出片が一方向に差し込むことができるように，それぞれ突出片の大きさ，板厚もしくは厚み分の孔を設けて構成している。
【００２７】
次にガイド部について説明を行う。
ガイド部はボックスの内部機器取付面１０１２ａにリブを形成してボックスと一体に設けている。
【００２８】
第一のガイド部１０１２１は，リブａ及びリブｂを分岐開閉器の並設方向に設け，さらに該リブａ及びリブｂと直交するようにリブｃ，リブｄ，リブｅ，リブｆを設けて構成される。ここで，リブａとリブｂの距離は，中底１０１３の略コの字状の開口部の幅と同等の幅に設けられており，さらに，リブｃ，ｄ，ｅ，ｆの内部機器取付面１０１２ａからの高さは，中底における第二，第三の突出片のボックス側の面と分岐開閉器を取付ける部分のボックス側の面との距離（中底の高さという）とほぼ同一に設けており，中底をこれらのリブに覆い被せることができるように形成されている。
【００２９】
第二のガイド部１０１２２は設置台が嵌まり込むことができるよう，設置台の周り三方を略包囲するようにリブｇ，リブｈが，ボックスの内部機器取付面１０１２ａから延出するように設けられ，リブｉが該取付面１０１２ａと段差を設けるように設けられている。
【００３０】
次に，図７，図８，図９を用いてボックスへの中底１０１３，設置台１０５，主開閉器取付台１０４の取付けについて説明を行う。
【００３１】
まず，中底１０１３を第一のガイド部１０１２１に覆い被せるように配設する。このとき，略コの字状の開口部の幅は，第一のガイド部を形成するリブａとリブｂの幅に略等しく，リブｃ，ｄ，ｅ，ｆの高さは中底の高さと略等しいため分岐開閉器の電源負荷側方向の動きが規制され，分岐開閉器の並設方向のみスライドさせることができる。
【００３２】
次に，中底１０１３を図７中矢印の方向にスライドさせていくと，第一の保持部１０１２３，第二の保持部１０１２４，第三の保持部１０１２５にそれぞれ突出片が差し込まれていく。第二の保持部１０１２４，第三の保持部１０１２５は袋状になっており，第一の保持部は差込片の幅に孔が設けられているために，袋状の保持部，もしくは第一の保持部に中底の本体が当接した時点で，スライドが止まる。
このとき，突出片は３つの保持部で保持されており，第一のガイド部と相まって，中底は，中底を差込む方向とは逆の方向にのみ自由度を持つ。
【００３３】
次に，設置台１０５を第二のガイド部１０１２２に沿って嵌め込むように配設する。このとき第二のガイド部１０１２２は設置台が嵌まり込むことができるよう，設置台の周り三方を略包囲するように形成されているため，分岐開閉器の電源負荷側方向の動きが規制され，分岐開閉器の並設方向のみスライドさせることができる。
【００３４】
次に，設置台１０５を図８中矢印の方向にスライドさせていくと，第四の保持部１０１２６，第五の保持部１０１２７，第三の保持部１０１２５にそれぞれ突出片が差し込まれていく。第五の保持部１０１２７，第三の保持部１０１２５は袋状になっており，第一の保持部は差込片の幅に孔が設けられているために，袋状の保持部，もしくはリブｈに中底の本体が当接した時点で，スライドが止まる。
【００３５】
このとき，第三の保持部１０１２５においては，中底１０１３の第二の突出片１０１３２及び設置台１０５の第三の突出片１０５０３が共に差込まれる共用保持部であるため，中底１０１３の第二の突出片１０１３２が差込まれている状態のところに，さらに，設置台１０５の第三の突出片１０５０３が後から差込まれる形となる。即ち，第三の保持部１０１２５（共用保持部）においては，中底１０１３の第二の突出片１０１３２は設置台１０５の第三の突出片１０５０３があるために，それまで持っていた中底を差込む方向とは逆の方向の自由度を失い，動きを規制される。設置台１０５については，設置台の突出片は３つの保持部で保持されており，第二のガイド部と相まって，設置台は，設置台を差込む方向とは逆の方向にのみ自由度を持つ。
【００３６】
次に，主開閉器取付台１０４をボックス１０１２に設けられた所定の取付部１０１２８に配設し，ねじにより固定する。ボックスには予め，主開閉器取付台１０４をねじにより固定するための孔が４箇所設けられている（図９）。固定にあたり，主開閉器取付台１０４には，突出片１０４０１が設けられており，この突出片が予めボックスに取付けられている設置台１０５の側面に当接することにより，設置台１０５はそれまで持っていた設置台を差込む方向とは逆の方向の自由度を失い，その動きを規制される。
【００３７】
このようにボックスへ中底１０１３，設置台１０５，主開閉器取付台１０４の取付けを行うことにより，中底，設置台についてはボックスの所定の位置にスライドを行い，突出片を保持部に差込むことによりその取り付けが完了し，さらに主開閉器取付台をボックスの所定の位置に取り付けを行うことによりこれら中底１０１３，設置台１０５，主開閉器取付台１０４の動きが規制されボックスに完全に固定される。従来の例に比べるとねじの使用は主開閉器取付台のボックスへの取付けのみであるため，組立て作業性の向上が図れ，作業工程の削減，部品コストの削減が付随効果として得られ，さらに住宅用分電盤の使用後において分解して分別廃棄を行う場合にも簡易に分解できるため廃棄コストも削減することが可能となる。
【実施例２】
【００３８】
次に，住宅用分電盤において，主開閉器の一次側に電流制限器が取付けられる場合の例を示す。図１０には電流制限器を備えた住宅用分電盤の外観図を示した。
【００３９】
住宅用分電盤２はキャビネット２０１の内部に主開閉器２０２及び分岐開閉器２０３及び電流制限器２０８を備えて構成されている。キャビネット２０１は，内部機器を収納する容器であり，カバー２０１１，ボックス２０１２，中底２０１３から構成される。
【００４０】
カバー２０１１は，実施例１と同じく，住宅用分電盤の前面全体を覆うように樹脂で成型され，内部機器を操作することができるよう内部機器の操作部分に孔が設けられている。
ボックス２０１２は，実施例１と同じく，住宅用分電盤２の上下左右の側面及び背面を覆う壁を形成するよう樹脂で成型されている。
【００４１】
中底２０１３は，実施例１と同じく，内部機器を取付ける取付板であり，本実施例の場合には，分岐開閉器が該中底２０１３に併設されて取付けられる。
【００４２】
図１１はキャビネット２０１のカバー２０１１を取外して，キャビネット２０１の内部を臨んだ内部構造を示した図である。キャビネット２０１の内部には，電流制限器取付台２０９に載置された電流制限器２０８と，該電流制限器２０８と主開閉器２０２とを電気的に接続する接続導体２１０と，主開閉器取付台２０４に載置された主開閉器２０２と，該主開閉器２０２に電気的に接続された接続導体２０６と，該接続導体２０６に一端が接続され設置台２０５に配設された母線２０７と，該母線２０７を介して接続され，分岐回路に電力を供給する中底２０１３に取付けられた複数の並設された分岐開閉器２０３とが備えられている。
実施例１の構成に加えて，電流制限器２０８と電流制限器取付台２０９と接続導体２１０が新たに設けられているものとなっている。
【００４３】
さて，ボックス２０１２のサイズが同一で，内部機器として，主開閉器，分岐開閉器に加えて新たに電流制限器を備える場合，ボックスの内部スペース限られているために，分岐開閉器の回路数を減らして電流制限器の追加に対応する。実施例１においては，分岐開閉器の回路数は８回路であったが，本実施例では分岐開閉器の回路数は半分の４回路としている。
【００４４】
図１３には中底２０１３の斜視図を示している。実施例１の中底と同様であるが，分岐開閉器の回路数の違いによって，中底２０１３における分岐開閉器の並設方向，即ち長手方向の長さは短く構成される。中底２０１３の突出片は実施例１と同様な形状で３箇所に第一の突出片２０１３１，第二の突出片２０１３２，第三の突出片２０１３３が設けられている。
【００４５】
図１４には設置台２０５の斜視図を示している。実施例１の設置台と同様であるが，分岐開閉器の回路数の違いによって，設置台２０５における分岐開閉器の並設方向，即ち長手方向の長さは短く構成される。設置台２０５の突出片は実施例１と同様な形状で３箇所に第一の突出片２０５０１，第二の突出片２０５０２，第三の突出片２０５０３が設けられている。
【００４６】
図１５には主開閉器取付台２０４の構造図を示している。該主開閉器取付台２０４は実施例１と同一で，金属板を折り曲げ成型して構成されており，該主開閉器取付台の片側には突出片２０４０１が設けられている。この突出片２０４０１はボックス２０１２に取付けられるときに，設置台２０５の側面と当接する。また主開閉器取付台の四隅にはボックスに取付ける際にねじを貫通させる孔が設けられている。
【００４７】
図１２にはボックス２０１２の斜視図を示している。ボックス２０１２には，中底２０１３，設置台２０５，主開閉器取付台２０４，電流制限器取付台２０７が取付けられる面に，これら中底，設置台を取付ける際にガイドとなる第一のガイド部２０１２１と第二のガイド部２０１２２，及び，中底，設置台に設けられた突出片を保持する保持部が設けられている。また，主開閉器取付台２０４を取付けるための取付部２０１２８ａ〜ｄ，電流制限器取付台２０７を取付けるための取付部２０１２９ａ，ｂが設けられている。
【００４８】
保持部は，中底，設置台をボックスに取付ける位置において，それぞれの突出片と対応する位置に設けられており，中底の突出片と対応する保持部として，中底の第一の突出片２０１３１はボックスの内部機器取付面２０１２ａとボックス側面２０１２ｂの交わり付近に設けてある第一の保持部２０１２３と対応し，
中底の第二の突出片２０１３２はボックスの内部機器取付面２０１２ａに設けてある第二の保持部２０１２４と対応し，中底の第三の突出片２０１３３は同じくボックスの内部機器取付面２０１２ａに設けてある第三の保持部２０１２５と対応している。
【００４９】
また，設置台の突出片と対応する保持部として，設置台の第一の突出片２０５０１はボックスの内部機器取付面２０１２ａに設けてある第四の保持部２０１２６と対応し，設置台の第二の突出片２０５０２は同じくボックスの内部機器取付面２０１２ａに設けてある第五の保持部２０１２７と対応し，設置台の第三の突出片２０５０３はボックスの内部機器取付面２０１２ａに設けてある第三の保持部２０１２５と対応している。
【００５０】
ここで，第三の保持部２０１２５は，中底の第二の突出片２０１３２と設置台の第三の突出片２０５０３とが共に保持される共用保持部となる。
【００５１】
これらの保持部は中底，設置台に設けられた突出片が一方向に差し込むことができるように，それぞれ突出片の大きさ，板厚もしくは厚み分の孔を設けて構成している。
【００５２】
次にガイド部について説明を行う。ガイド部は実施例１と同様に設けられている。
ガイド部はボックスの内部機器取付面２０１２ａにリブを形成してボックスと一体に設けている。
【００５３】
第一のガイド部２０１２１は，リブａ及びリブｂを分岐開閉器の並設方向に設け，さらに該リブａ及びリブｂと直交するようにリブｃ，リブｄ，リブｅ，リブｆを設けて構成される。ここで，リブａとリブｂの距離は，中底１０１３の略コの字状の開口部の幅と同等の幅に設けられており，さらに，リブｃ，ｄ，ｅ，ｆの内部機器取付面１０１２ａからの高さは，中底における第二，第三の突出片のボックス側の面と分岐開閉器を取付ける部分のボックス側の面との距離（中底の高さという）とほぼ同一に設けており，中底をこれらのリブに覆い被せることができるように形成されている。
【００５４】
第二のガイド部２０１２２は設置台が嵌まり込むことができるよう，設置台の周り三方を略包囲するようにリブｇ，リブｈが，ボックスの内部機器取付面２０１２ａから延出するように設けられ，リブｉが該取付面１０１２ａと段差を設けるように設けられている。
【００５５】
次に，図１６，図１７，図１８を用いてボックスへの中底２０１３，設置台２０５，主開閉器取付台２０４，電流制限器取付台２０７の取付けについて説明を行う。
まず，中底２０１３を第一のガイド部２０１２１に覆い被せるように配設する。このとき，略コの字状の開口部の幅は，第一のガイド部を形成するリブａとリブｂの幅に略等しく，リブｃ，ｄ，ｅ，ｆの高さは中底の高さと略等しいため分岐開閉器の電源負荷側方向の動きが規制され，分岐開閉器の並設方向のみスライドさせることができる。
【００５６】
次に，中底２０１３を図１６中矢印の方向にスライドさせていくと，第一の保持部２０１２３，第二の保持部２０１２４，第三の保持部２０１２５にそれぞれ突出片が差し込まれていく。第二の保持部２０１２４，第三の保持部２０１２５は袋状になっており，第一の保持部は差込片の幅に孔が設けられているために，袋状の保持部，もしくは第一の保持部に中底の本体が当接した時点で，スライドが止まる。
このとき，突出片は３つの保持部で保持されており，第一のガイド部と相まって，中底は，中底を差込む方向とは逆の方向にのみ自由度を持つ。
【００５７】
次に，設置台２０５を第二のガイド部２０１２２に沿って嵌め込むように配設する。このとき第二のガイド部２０１２２は設置台が嵌まり込むことができるよう，設置台の周り三方を略包囲するように形成されているため，分岐開閉器の電源負荷側方向の動きが規制され，分岐開閉器の並設方向のみスライドさせることができる。
【００５８】
次に，設置台２０５を図１７中矢印の方向にスライドさせていくと，第四の保持部２０１２６，第五の保持部２０１２７，第三の保持部２０１２５にそれぞれ突出片が差し込まれていく。第五の保持部２０１２７，第三の保持部２０１２５は袋状になっており，第一の保持部は差込片の幅に孔が設けられているために，袋状の保持部，もしくはリブｈに中底の本体が当接した時点で，スライドが止まる。
【００５９】
このとき，第三の保持部２０１２５においては，中底２０１３の第二の突出片２０１３２及び設置台２０５の第三の突出片２０５０３が共に差込まれる共用保持部であるため，中底２０１３の第二の突出片２０１３２が差込まれている状態のところに，さらに，設置台２０５の第三の突出片２０５０３が後から差込まれる形となる。即ち，第三の保持部２０１２５（共用保持部）においては，中底２０１３の第二の突出片２０１３２は設置台２０５の第三の突出片２０５０３があるために，それまで持っていた中底を差込む方向とは逆の方向の自由度を失い，動きを規制される。設置台２０５については，設置台の突出片は３つの保持部で保持されており，第二のガイド部と相まって，設置台は，設置台を差込む方向とは逆の方向にのみ自由度を持つ。
【００６０】
次に，主開閉器取付台２０４をボックス２０１２に設けられた所定の取付部２０１２８ａ〜ｄに配設し，ねじにより固定する。ボックスには予め，主開閉器取付台２０４をねじにより固定するための孔が４箇所設けられている。固定にあたり，主開閉器取付台２０４には，突出片２０４０１が設けられており，この突出片が予めボックスに取付けられている設置台２０５の側面に当接することにより，設置台２０５はそれまで持っていた設置台を差込む方向とは逆の方向の自由度を失い，その動きを規制される。
【００６１】
次に，図１８に示したように，電流制限器取付台２０７をボックス２０１２に設けられた所定の取付部２０１２９ａ，ｂに配設し，ねじにより固定する。ボックスには予め，電流制限器取付台２０７をねじにより固定するための孔が２箇所設けられている。
【００６２】
このようにボックスへ中底２０１３，設置台２０５，主開閉器取付台２０４，電流制限器取付台２０７の取付けを行うことにより，中底，設置台についてはボックスの所定の位置にスライドを行い，突出片を保持部に差込むことによりその取り付けが完了し，さらに主開閉器取付台をボックスの所定の位置に取り付けを行うことによりこれら中底２０１３，設置台２０５，主開閉器取付台２０４の動きが規制されボックスに完全に固定される。また，所定の位置に電流制限器取付台２０７を取付けることにより電流制限器取付台の設置が完了する。
【００６３】
従来の例に比べるとねじの使用は主開閉器取付台と電流制限器取付台のボックスへの取付けのみであるため，組立て作業性の向上が図れ，作業工程の削減，部品コストの削減が付随効果として得られ，さらに住宅用分電盤の使用後において分解して分別廃棄を行う場合にも簡易に分解できるため廃棄コストも削減することが可能となる。
【００６４】
ボックスの斜視図には，予め，分岐開閉器の回路数の異なる場合に対応して設けられる複数の種類の中底と設置台を取付けられるように，それぞれの突出片に対応する位置に保持部が設けたものを図示している。また，主開閉器のみならず，電流制限器を備える場合においても対応することができるように，予め，主開閉器取付台と電流制限器取付台との両方を取付けることができるようにそれぞれの取付部を設けたものを図示している。このように，ボックスは，分岐開閉器の回路数の違いや，内部機器の種類の違いに応じた種々の仕様に対しても適用させることができるように設けているために，ボックスを種々準備する必要がなく，一種類のボックスを設ければよく，前述した効果に加えて，さらなるコストの低減が可能である。
【００６５】
また，電流制限器を備えずに，分岐開閉器の回路数を低減させた住宅用分電盤を提供する場合にもボックスが共用できることを付け加えておく。
【００６６】
以上のように，住宅用分電盤を構成したために，分電盤への内器の取付作業性が向上できるとともに，部品コストを削減しながら内器を分電盤に確実に取り付けられ，また，分電盤の使用後に回収し廃棄する際の分解作業が行いやすい住宅用分電盤を提供することができる。
【産業上の利用可能性】
【００６７】
本発明によれば，中底及び設置台はボックスに差込保持され，共用保持部にて中底の動きを設置台の突出片が規制し，さらに主開閉器取付台の突出片が設置台の動きを規制するように設けられるため，
ねじ締め箇所は必要最小限の箇所だけに低減でき，作業工程が短縮できるとともに，ねじ締め忘れといったミスや経時的な緩みが発生し取付のがたや外れが生じるという恐れが低減でき，また部品点数が削減できるためコストを下げることが可能となり，分電盤の使用後において分解を行う際にも分解作業を行いやすく低コストで分別廃棄を行うことが可能となるため，住宅用分電盤への適用以外に，制御盤など大型の盤に適用することで，盤の組立てを簡易に行いながらも，取り付けが確実に行え，さらには，使用後において分別して廃棄を行う際においても容易に分解分別できるという可能性がある。
【図面の簡単な説明】
【００６８】
【図１】第一の実施例を適用した住宅用分電盤の外観図。
【図２】カバーを取り外した内部構造図。
【図３】中底の構造図。
【図４】設置台の構造図。
【図５】主開閉器取付台の構造図。
【図６】ボックスの構造図。
【図７】中底の取付け図。
【図８】設置台の取付け図。
【図９】主開閉器取付台の取付け図。
【図１０】電流制限器を備えた住宅用分電盤の外観図。
【図１１】カバーを取り外した内部構造図。
【図１２】ボックスの構造図。
【図１３】中底の構造図。
【図１４】設置台の構造図。
【図１５】主開閉器取付台の構造図。
【図１６】中底の取付け図。
【図１７】設置台の取付け図。
【図１８】主開閉器取付台，電流制限器の取付け図。
【図１９】従来例の図。
【符号の説明】
【００６９】
１  住宅用分電盤
１０１  キャビネット
１０１１  カバー
１０１２  ボックス
１０１２１  第一のガイド部
１０１２２  第二のガイド部
１０１２３  第一の保持部
１０１２４  第二の保持部
１０１２５  第三の保持部
１０１２６  第四の保持部
１０１２７  第五の保持部
１０１２８  主開閉器取付台の取付部
１０１２ａ  内部機器取付面
１０１２ｂ  ボックス側面
１０１３  中底
１０１３１  第一の突出片
１０１３２  第二の突出片
１０１３３  第三の突出片
１０２  主開閉器
１０３  分岐開閉器
１０４  主開閉器取付台
１０４０１  突出片
１０５  設置台
１０５０１  第一の突出片
１０５０２  第二の突出片
１０５０３  第三の突出片
１０５０４  絶縁ブロック部材
１０５１  絶縁ブロック部材取付部
１０６  接続導体
１０６１  中性相接続導体
１０６２  第一の電圧相接続導体
１０６３  第二の電圧相接続導体
１０７  母線
１０７１  第一の電圧相導体
１０７２  第二の電圧相導体１３
１０７３  中性相導体
２  住宅用分電盤
２０１  キャビネット
２０１１  カバー
２０１２  ボックス
２０１２１  第一のガイド部
２０１２２  第二のガイド部
２０１２３  第一の保持部
２０１２４  第二の保持部
２０１２５  第三の保持部
２０１２６  第四の保持部
２０１２７  第五の保持部
２０１２８  主開閉器取付台の取付部
２０１２ａ  内部機器取付面
２０１２ｂ  ボックス側面
２０１３  中底
２０１３１  第一の突出片
２０１３２  第二の突出片
２０１３３  第三の突出片
２０２  主開閉器
２０３  分岐開閉器
２０４  主開閉器取付台
２０４０１  突出片
２０５  設置台
２０５０１  第一の突出片
２０５０２  第二の突出片
２０５０３  第三の突出片
２０５０４  絶縁ブロック部材
２０５１  絶縁ブロック部材取付部
２０６  電流制限器
２０７  電流制限器取付台
２１０  接続導体
【図１】
2006081296.tif 000003
【図２】
2006081296.tif 000004
【図３】
2006081296.tif 000005
【図４】
2006081296.tif 000006
【図５】
2006081296.tif 000007
【図６】
2006081296.tif 000008
【図７】
2006081296.tif 000009
【図８】
2006081296.tif 000010
【図９】
2006081296.tif 000011
【図１０】
2006081296.tif 000012
【図１１】
2006081296.tif 000013
【図１２】
2006081296.tif 000014
【図１３】
2006081296.tif 000015
【図１４】
2006081296.tif 000016
【図１５】
2006081296.tif 000017
【図１６】
2006081296.tif 000018
【図１７】
2006081296.tif 000019
【図１８】
2006081296.tif 000020
【図１９】
2006081296.tif 000021